(57)【要約】【課題】様々な形状を有するブースの内部の加熱器によって加熱された焼き板に海苔、串、スルメイカ、カワハギの干物などの干し魚などの各種の食物を直接的に焼くときに発生する匂いと煙はもとより、ガスなどの異物を捕集した後、捕集室の一方の側に形成されたダクトを用いて誘導して異物除去フィルターにおいて異物をろ過した後、電気を用いた静電フィルターを経由させて匂いと煙を取り除き、再び繊維質フィルターと活性炭フィルターを経由させてガスを取り除いて清浄な煙を外部に排出することができるとともに、ブースの周りに形成された商品陳列台に商品を陳列することのできる消臭消煙装置付きブースを提供すること。【解決手段】本体１０中央の後方嵌込み口２１に設けられた加熱器２０と、前記加熱器２０の上部に載置されて各種の食物を焼くための加熱板４０と、前記加熱板４０の前面と両側面及び天井を仕切り５１で密閉させ、背面は天井と連結して上部に仕切り５１を形成して異物、匂い、煙及びガスを上部において捕集するための捕集室５０と、前記捕集室５０に形成されて異物と、匂い及び煙を誘導するためのダクト６０及び照明をするための照明灯１１０と、前記ダクト６０の端部と連結されて１次的に油及び粉などの異物と匂い及び煙を取り除くための異物除去フィルター１２１を取り付けるために本体１０の一方の側に形成されたフィルター嵌入室１２０と、前記異物除去フィルター１２１によって異物が除去された匂い及び煙を流入させて電気又は電子で取り除くように静電フィルター８１が取り付けられた煙除去浄化室８０と、前記空気浄化室において匂い及び煙が除去された空気に含まれているガスを取り除くためのガス除去浄化室９０と、前記フィルター嵌入室１２０と、煙除去浄化室８０及びガス除去浄化室９０に捕集室５０に集められた空気を流入させるためにガス除去浄化室９０の後方に取り付けられた送風器７０と、前記本体１０の前面と両側面に商品１３０を陳列して結合するように取り付けられた商品陳列台１４０と、を備えることを特徴とする消臭消煙装置付きブース。【選択図】  図２
2016529003.tif 000002
【特許請求の範囲】
【請求項１】
本体（１０）中央の後方嵌込み口（２１）に設けられた加熱器（２０）と、
前記加熱器（２０）の上部に載置されて各種の食物を焼くための加熱板（４０）と、
前記加熱板（４０）の前面と両側面及び天井を仕切り（５１）で密閉させ、背面は天井と連結して上部に仕切り（５１）を形成して異物、匂い、煙及びガスを上部において捕集するための捕集室（５０）と、
前記捕集室（５０）に形成されて異物と、匂い及び煙を誘導するためのダクト（６０）及び照明をするための照明灯（１１０）と、
前記ダクト（６０）の端部と連結されて１次的に油及び粉などの異物と匂い及び煙を取り除くための異物除去フィルター（１２１）を取り付けるために本体（１０）の一方の側に形成されたフィルター嵌入室（１２０）と、
前記異物除去フィルター（１２１）によって異物が除去された匂い及び煙を流入させて電気又は電子で取り除くように静電フィルター（８１）が取り付けられた煙除去浄化室（８０）と、
前記空気浄化室において匂い及び煙が除去された空気に含まれているガスを取り除くためのガス除去浄化室（９０）と、
前記フィルター嵌入室（１２０）と、煙除去浄化室（８０）及びガス除去浄化室（９０）に捕集室（５０）に集められた空気を流入させるためにガス除去浄化室（９０）の後方に取り付けられた送風器（７０）と、
前記本体（１０）の前面と両側面に商品（１３０）を陳列して結合するように取り付けられた商品陳列台（１４０）と、
を備えることを特徴とする消臭消煙装置付きブース。
【請求項２】
前記ガス除去浄化室（９０）は、不織布フィルター（９１）又は活性炭フィルター（９２）のうちのいずれか一方を選択して構成するか、あるいは、不織布フィルター（９１）と活性炭フィルター（９２）を交互に形成して構成することを特徴とする請求項１に記載の消臭消煙装置付きブース。
【請求項３】
前記加熱板（４０）の一方の側には焼く食物を保管する保管台（３０）を形成し、他方には焼いた食物を保管する保管台（３１）を形成することを特徴とする請求項１に記載の消臭消煙装置付きブース。
【請求項４】
前記保管台（３１）の側面に主電源スイッチ（１０１）、温度調節器（１０２）、ファン作動スイッチ（１０３）及び照明灯電源スイッチ（１０４）を有する制御部（１００）が配設されることを特徴とする請求項３に記載の消臭消煙装置付きブース。
【発明の詳細な説明】
【技術分野】
【０００１】
本発明は、消臭消煙装置付きブースに係り、さらに詳しくは、様々な形状を有するブースの内部の加熱器によって加熱された焼き板に海苔、串、スルメイカ、カワハギの干物などの干し魚などの各種の食物を直接的に焼くときに発生する匂いと煙はもとより、ガスなどの異物を捕集した後、捕集室の一方の側に形成されたダクトを用いて誘導して異物除去フィルターにおいて異物をろ過した後、電気を用いた静電フィルターを経由させて匂いと煙を取り除き、再び繊維質フィルターと活性炭フィルターを経由させてガスを取り除いて清浄な煙を外部に排出することができるとともに、ブースの周りに形成された商品陳列台に商品を陳列することのできる消臭消煙装置付きブースに関する。
【背景技術】
【０００２】
従来には、ブースや店頭において海苔やスルメイカ、カワハギの干物などの各種の食物を焼こうとする場合、練炭火鉢やガスレンジなどの加熱器の上で直接的に焼いていた。しかしながら、料理しようとする食物を直接的に加熱器で焼くとき、食物は熱に敏感であるため匂いと煙などが発生する。
【０００３】
このような匂いと煙を大気中にそのまま放出して環境を汚染したり、室内に放出したりすると、匂いがするとともに、煙がもうもうと立ち込めて各種の営業業務を妨げてしまうという不都合があった。
【０００４】
この理由から、除煙装置が盛んに開発された。中でも、本出願人が開発して公開された特許文献１の「麦飯石手作り海苔焼きブース」が挙げられるが、前記構造は、焼き板において焼くときに発生する煙を側面において捕集して下部に煙と匂いをそのまま排出するようになっているため、匂いと煙は空気中にそのまま排出されて大気を汚染させ、且つ、側面に捕集できなかった煙が上昇する場合に該煙及び匂いを作業者が直接的に嗅いでしまうため多くの不都合があった。
【０００５】
このため、図１に示すように、周知の空気清浄器は、吸入口５９１付き前面グリルカバー６０１の後方に送風ファン６８１の作動に応じて空気中の大きな粒子を１次的にろ過するプレフィルター６２１と、該プレフィルター６２１を通過した微細粒子を２次的にろ過する高性能エアフィルター（ＨＥＰＡ；ｈｉｇｈ ｅｆｆｉｃｉｅｎｃｙ ｐａｒｔｉｃｕｌａｔｅ ａｉｒ ｆｉｌｔｅｒ）６４１が配設され、前記ＨＥＰＡフィルター６４１に後続して活性炭フィルター６６１が配設される。
【０００６】
しかしながら、従来の空気清浄機の内部においては単に３つ又は４つのフィルター機能にのみ依存して空気を浄化するため実質的に空気浄化機能に限界があり、比較的に短時間内にフィルターの寿命が尽きて空気浄化効率が急激に低下してしまうという問題があった。
【０００７】
すなわち、上述したように、周知のフィルターにのみ依存する場合には匂いと煙を完全に取り除くことができないという問題があった。
【先行技術文献】
【特許文献】
【０００８】
特許文献１：大韓民国公開特許第１０−２０１１−００２６９３４号
特許文献２：大韓民国公開特許第１０−２０１１−００２６９３４号
【発明の概要】
【発明が解決しようとする課題】
【０００９】
本発明は、上述した問題を解消するために案出されたものであり、その目的は、可動式ブースに設けられた加熱器によって加熱される加熱板において海苔、串、スルメイカなどの各種の食物を焼いて料理するときに発生する匂いと煙及びガスに含まれている海苔粉、油などの異物を繊維質フィルターによって取り除いた後、電気式である静電フィルターと繊維室フィルター及び活性炭フィルターの多段階のフィルターを経由させて煙とガスを完全に取り除いて清浄な空気を外部に排出することのできる消臭消煙装置付きブースを提供するところにある。
【００１０】
また、本発明の他の目的は、可動式ブースにおいて各種の食物を焼くときに用いる加熱板として、麦飯石焼き板、ゲルマニウム焼き板、玉焼き板などの石板、金属板、グリルのうちのいずれか一つを選択して各種の食物を焼くことのできる消臭消煙装置付きブースを提供するところにある。
【００１１】
さらに、本発明のさらに他の目的は、食物を加熱するための加熱器として、ガスヒーター又は電気ヒーターを用いることのできる消臭消煙装置付きブースを提供するところにある。
【００１２】
加えて、本発明のさらに他の目的は、焼き板において焼いた商品を商品陳列台に陳列して消費者に衝動買いさせるために商品陳列台をブースの周りに移動自在に取り付けることのできる消臭消煙装置付きブースを提供するところにある。
【課題を解決するための手段】
【００１３】
以下、添付図面に基づき、上述した目的を達成するための本発明による消臭消煙装置付きブースについて詳述する。
【００１４】
本発明による消臭消煙装置付きブースは、本体１０中央の後方嵌込み口２１に設けられた加熱器２０と、前記加熱器２０の上部に載置されて各種の食物を焼くための加熱板４０と、前記加熱板４０の前面と両側面及び天井を仕切り５１で密閉させ、背面は天井と連結して上部に仕切り５１を形成して異物、匂い、煙及びガスを上部において捕集するための捕集室５０と、前記捕集室５０に形成されて異物と、匂い及び煙を誘導するためのダクト６０及び照明をするための照明灯１１０と、前記ダクト６０の端部と連結されて１次的に油及び粉などの異物と匂い及び煙を取り除くための異物除去フィルター１２１を取り付けるために本体１０の一方の側に形成されたフィルター嵌入室１２０と、前記異物除去フィルター１２１によって異物が除去された匂い及び煙を流入させて電気又は電子で取り除くように静電フィルター８１が取り付けられた煙除去浄化室８０と、前記空気浄化室において匂い及び煙が除去された空気に含まれているガスを取り除くためのガス除去浄化室９０と、前記フィルター嵌入室１２０と、煙除去浄化室８０及びガス除去浄化室９０に捕集室５０に集められた空気を流入させるためにガス除去浄化室９０の後方に取り付けられた送風器７０と、前記本体１０の前面と両側面に商品１３０を陳列して結合するように取り付けられた商品陳列台１４０と、を備えることを特徴とする。
【００１５】
また、本発明による消臭消煙装置付きブースにおいて、前記ガス除去浄化室９０は、不織布フィルター９１又は活性炭フィルター９２のうちのいずれか一方を選択して構成するか、あるいは、不織布フィルター９１と活性炭フィルター９２を交互に形成して構成する。
【００１６】
さらに、本発明による消臭消煙装置付きブースにおいて、前記加熱板４０の一方の側には焼く食物を保管する保管台３０を形成し、他方には焼いた食物を保管する保管台３１を形成する。
【００１７】
加えて、本発明による消臭消煙装置付きブースにおいて、前記保管台３１の側面に主電源スイッチ１０１、温度調節器１０２、ファン作動スイッチ１０３及び照明灯電源スイッチ１０４を有する制御部１００が配設される。
【発明の効果】
【００１８】
上記の構成を有する本発明は、可動式ブースの加熱器によって加熱された加熱板において海苔、串、スルメイカなどの食物を焼くときに発生する煙と油及びガスなどに含まれている異物を異物除去フィルターにおいて取り除き、匂いと煙は煙除去フィルターにおいて取り除き、ガスはガス除去フィルターにおいて完全に取り除いて清浄な煙を外部に排出することができるという効果がある。
【００１９】
すなわち、静電フィルターと繊維質フィルター（不織布フィルター）及び活性炭フィルターを経由させて匂いと煙はもとより、ガスまでも完全に取り除くことができるという効果がある。
【００２０】
加えて、本体の前面と両側に階段状に形成された可動式商品陳列台に焼き立ての商品を陳列するので、焼き立ての新鮮な食物に対しての消費者の購買意欲を高めることができるという効果がある。
【図面の簡単な説明】
【００２１】
【図１】従来の空気浄化器を示す分解斜視図である。
【図２】本発明による消臭消煙装置付きブースを示す斜視図である。
【図３】本発明による消臭消煙装置付きブースを示す背面図である。
【図４】本発明による消臭消煙装置付きブースにおけるフィルター嵌入室に嵌め込まれるフィルターを示す斜視図である。
【図５】本発明による消臭消煙装置付きブースにおける１次空気浄化室を示す斜視図である。
【図６】本発明による消臭消煙装置付きブースにおける２次空気浄化室を示す斜視図である。
【図７】本発明による消臭消煙装置付きブースにおける階段式陳列棚をブースに取り付けた状態を示す写真である。
【発明を実施するための形態】
【００２２】
以下、添付図面に基づき、本発明による消臭消煙装置付きブースの好適な実施形態について詳述するが、本発明を説明するに当たって、関連する公知の技術などは本発明の要旨を曖昧にする虞があると認められる場合にその詳細な説明を省略する。
【００２３】
図２〜図７に基づき、本発明による消臭消煙装置付きブースの構成について説明する。
【００２４】
図２に示すように、本発明は、可動式ブースであって、室内や室外に設けられてブースの内部の加熱器２０によって加熱された加熱板４０上において海苔や、串、スルメイカ、カワハギの干物などの各種の食物を焼くときに発生する異物（油や粉など）と煙及び匂いはもとより、ガスなどを流入させて１次的に異物除去フィルター１２１によって異物を取り除いた後、２次的に電気及び電子を用いた静電フィルター８１によって匂いと煙を取り除き、３次的に不織布フィルター９１又は活性炭フィルター９２を経由させてガスを完全に浄化させて清浄な空気を排出口を介して排出するように構成されたものである。
【００２５】
このような構成を有する可動式ブースは、本体１０の下部に輪体１１が取り付けられる。
【００２６】
また、本体１０には加熱器２０を嵌め込んで取り付けるように中央部に嵌込み口２１を形成し、加熱器２０の上部には各種の食物を焼くための加熱板４０が載置される。このとき、前記加熱器２０としては、ガスヒーターや電気ヒーターのうちのいずれか一方が使用可能である。なお、加熱板４０としては、麦飯石焼き板、ゲルマニウム焼き板、玉焼き板などの石板４１、グリル４２、金属板４３のうちのいずれか一つを選択して使用可能である。
【００２７】
さらに、前記加熱板４０の一方の側には各種の食物を焼くために保管する保管台３０が形成され、他方の側には焼いた食物を保管する保管台３１が形成される。
【００２８】
加えて、前記加熱器２０によって加熱された加熱板４０において各種の食物を焼くときに発生する異物、匂い、煙及びガスを上部において捕集するために本体１０の前面と両側及び天井を仕切り５１で密閉させ、且つ、後方の上側には天井と連結して仕切り５１を形成した捕集室５０を形成する。
【００２９】
このとき、前記捕集室５０を形成するための仕切り５１はガラスや合成樹脂などの透明板によって形成されて顧客が加熱板４０において食物を直接的に焼く過程を覗き見ることができる。
【００３０】
加えて、前記捕集室５０に捕集された異物と匂い及び煙はもとより、ガスまでも誘導するように捕集室５０の一方の側にダクト６０を形成する。
【００３１】
また、図４に示すように、前記捕集室５０に捕集された異物と、匂いと、煙及びガスがダクト６０を介して吸入される。このとき、１次的に異物を取り除くためには、異物除去フィルター１２１を嵌脱するように加熱板４０の一方の側である保管台３０の下部にフィルター嵌入室１２０を形成する。
【００３２】
前記異物除去フィルター１２１としては、繊維質フィルターである不織布フィルターを用いるが、必要に応じて、グリーンフィルター１２２を積み重ねて用いてもよい。前記グリーンフィルター１２２は鼻の粘膜原理を応用して開発した製品であり、まるで我々の体内に入り込む空気中のホコリを鼻でろ過するように、エンジンに入り込む空気を鼻水などのような粘液層に通過させて微細なホコリまでもきれいにろ過する湿潤式フィルターである。
【００３３】
グリーンフィルター１２２のろ過材であるポリエステルフォームは、オープンセルタイプのものであって、数十万個に至る微細な空気孔に形成された空きの蜂の巣状の３次元立体構造を有するため空孔率が９８％であり、グリーンフィルター１２２は、このフォームに不揮発性の無色無臭の高粘度鉱物性油を含浸させて製造した高性能フィルターであって、直接遮断による布面ろ過と吸入式深層ろ過の２重複合方式を用いて微細なホコリまでもろ過するが、通気性はそのまま維持される呼吸型フィルターである。
【００３４】
また、前記異物除去フィルター１２１を嵌脱するように本体１０に取り付けたフィルター嵌入室１２０の下部には２次的に匂いと煙を取り除くための煙除去浄化室９０が連結される。
【００３５】
前記煙除去浄化室８０は、図５に示すように、電気式又は電子式の誘導電圧静電フィルター８１によって形成される。
【００３６】
さらに、前記煙除去浄化室８０を経由しながら浄化された空気にはガスが残存するが、これらのガスを取り除いて浄化するためのガス除去浄化室９０は煙除去浄化室９０の後方に連結される。
【００３７】
前記煙除去浄化室９０は、図６に示すように、繊維質フィルターである不織布フィルター９１と、活性炭を用いる活性炭フィルター９２と、によって構成される。このとき、不織布フィルター９１又は活性炭フィルター９２のうちのいずれか一方が使用可能であるが、必要に応じて、不織布フィルター９１と活性炭フィルター９２を交互に積み重ねて形成してもよい。
【００３８】
また、前記捕集室５０に捕集された異物、匂い、煙、ガスを吸入して異物除去フィルター１２１、煙除去浄化室８０、ガス除去浄化室９０に誘導するための送風器７０が設けられる。
【００３９】
さらに、ブースに取り付けられた電源などを入れるための制御部１００が加熱板４０の他方の側である保管台３１の下部の本体１０に設けられる。前記制御部１００には、煙除去浄化室９０及び加熱器２０を起動するための電源スイッチ１０１と、加熱器２０の温度を調節するための温度調節器１０２と、送風器７０を駆動するためのファンスイッチ１０３及び照明灯１１０を付けるための照明灯スイッチ１０４が形成されている。
【００４０】
また、図２に示すように、捕集室５０の前方にはブースの内外部はもとより、 加熱板４０において食物を焼く過程を照明するための発光ダイオード（ＬＥＤ）などの照明灯１１０が形成される。
【００４１】
このような構成を有する本発明によるブースの本体１０の前面と両側面には、加熱板４０において焼いた商品１３０を保管するために階段状の商品陳列台１４０が形成される。
【００４２】
このとき、商品陳列台１４０は本体１０に固着してもよいが、周りの環境に応じて、取り外し自在に形成してもよい。
【００４３】
以下、このような本発明による消臭消煙装置付きブースの作動状態について詳細に説明する。
【００４４】
図１に示すように、まず、制御部１００に設けられた電源スイッチ１０１に電源を入れ、加熱器２０の温度を温度調節器１０２を用いて調節し、ファンスイッチ１０３を作動させて送風器７０を起動し、照明灯電源スイッチ１０４に電源を入れてＬＥＤなどの照明灯１１０を照明してブースにおいて各種の食物を焼く準備をする。このとき、保管台３０にも海苔、串、スルメイカなどの各種の食物を保管しておく。
【００４５】
次いで、保管台３０に保管された海苔などの各種の食物を加熱器２０の上部に載置して加熱された加熱板４０の上において焼く。このとき、加熱板４０としては、焼く食物に合わせて、麦飯石焼き板、ゲルマニウム焼き板、玉焼き板などの石板４１、グリル４２、金属板４３のうちのいずれか一つを選択する。
【００４６】
上述したように加熱板４０において食物を焼くと、食物から発せられる異物と、匂いと、煙及びガスが本体１０の上部に設けられた捕集室５０に捕集される。
【００４７】
前記捕集室５０に捕集された異物と、匂いと、煙及びガスは、本体１０の下部であるガス除去浄化室９０の後方に設けられた送風器７０の起動によってダクト６０を介して吸入され、吸入された異物と、匂いと、煙及びガスは送風器７０を介して保管台３０の下部のフィルター嵌入室１２０に取り付けられた異物除去フィルター１２１に流入して１次的に異物が取り除かれるとともに、匂いや煙の一部も取り除かれながら通過することになる。このとき、異物除去フィルター１２１である繊維質フィルターの下部にグリーンフィルター１２２をさらに積み重ねてもよい。
【００４８】
このとき、異物除去フィルター１２１においては１次的に異物が取り除かれ、微細に匂い及び煙が取り除かれるため、異物除去フィルター１２１の取替時期が早い。このため、異物除去フィルター１２１は、フレームの内部に嵌め込まれてフレームがフィルター嵌入室１２０に対して手軽に嵌脱されるように引き出し式に形成されている。
【００４９】
また、前記異物除去フィルター１２１において異物が取り除かれた匂い及び煙は異物除去フィルター１２１を介して排出されるとともに、煙除去浄化室８０に送風器７０によって流入して電気式又は電子式の誘導電圧によって匂いと煙は静電フィルター８１を経由しながら取り除かれる。
【００５０】
すなわち、捕集対象は、クーロン力（静電気）によって集塵電極の方向に引っ張られて捕集される。このような原理を利用する静電フィルター８１は、通常、放電極に印加された高電圧を用いて電場を生成し、２つの電極の間において高い電圧によって電場の強い部分が伝導性を有する現象であるコロナ放電を引き起こして放電極の周りにおいて電荷の生成及び移動が行われるようにして捕集対象であるホコリなどを荷電させる。
【００５１】
このようにして荷電されたホコリなどは、電場内において集塵電極の方向に発生したクーロン力によって力を受け、結果的に、集塵電極に引っ張られて集塵電極の表面に付着されることによって煙と匂いは取り除かれる。
【００５２】
上述したように煙除去浄化室８０において匂いと煙が取り除かれて排出される空気は、再び送風器７０を介してガス除去浄化室９０に流入する。
【００５３】
前記ガス除去浄化室９０は、多数が積み重ねられた不織布フィルター９１や活性炭フィルター９２を経由させて未だ取り除かれていない匂いと煙はもとより、空気中の煙に含まれているガスを完全に取り除いて下部の排出口（本体１０の一方の面に形成される。図示せず）に排出する。
【００５４】
前記不織布フィルター９１は、本体１０のダクト６０を介して吸入された外部空気から大きな粒子性物質と煙を取り除き、活性炭フィルター９２は、異物や揮発性有機化合物（ＶＯＣｓ；ｖｏｌａｔｉｌｅ ｏｒｇａｎｉｃ ｃｏｍｐｏｕｎｄｓ）、悪臭、ガスを吸着して取り除く。
【００５５】
また、図７に示すように、本体１０の前面と両側には階段状の商品陳列台１４０が形成されているため、前記商品陳列台１４０に焼いた商品１３０を階段状に陳列して顧客の購買意欲を高める。
【００５６】
このとき、商品陳列台１４０は移動して本体１０の周りに結合してもよい。また、商品陳列台１４０は本体１０に取り外し自在に形成されるため、本体１０の設置位置に応じて前面又は側面に自由に設置可能である。
【００５７】
以上、上述した構成を有する本発明についてたとえ実施形態に基づいて説明したが、本発明はこれに何ら限定されるものではなく、本発明が属する技術分野において通常の知識を有する者によって本発明の技術思想と後述する特許請求の範囲の均等な範囲内において種々の修正及び変形が行えるということはいうまでもない。
【符号の説明】
【００５８】
１０…本体
１１…輪体
２０…加熱器
２１…嵌込み口
３０…３１…保管台
４０…加熱板
５０…捕集室
５１…仕切り
６０…ダクト
７０…送風器
８０…煙除去浄化室
８１…静電フィルター
９０…ガス除去浄化室
９１…不織布フィルター
９２…活性炭フィルター
１００…制御部
１０１…電源スイッチ
１０２…温度調節器
１０３…ファンスイッチ
１０３…照明灯スイッチ
１１０…照明灯
１２０…フィルター嵌入室
１２１…異物除去フィルター
１２２…グリーンフィルター
１３０…商品
１４０…商品陳列台
【図１】
2016529003.tif 000003
【図２】
2016529003.tif 000004
【図３】
2016529003.tif 000005
【図４】
2016529003.tif 000006
【図５】
2016529003.tif 000007
【図６】
2016529003.tif 000008
【図７】
2016529003.tif 000009
【国際調査報告】
2016529003.tif 000010
2016529003.tif 000011
2016529003.tif 000012
2016529003.tif 000013